(57)【特許請求の範囲】
【請求項１】
放送局が、デジタル放送受信機に、映像・音声データに対して過去の映像・音声データとして該映像・音声データを再生する時間および再生するデータ部分について指示するための再生時刻情報を制御情報として付加して送出するとともに、前記過去の映像・音声データの再生を指示した期間における前記映像・音声データの送出を停止し、前記映像・音声データが使用していた周波数帯域を他の映像・音声データの送出に使用し、前記他の映像・音声データの圧縮率を引き下げ、
デジタル放送受信機が、前記再生時刻情報に従って、前記過去の映像・音声データを再生することを特徴とするデジタル放送方法。
【請求項２】
放送局が、前記映像・音声データに対して、前記再生時刻情報に加えて、特殊再生方法情報を制御情報として付加して送出するとともに、前記再生時刻情報および前記特殊再生方法情報により指示した期間における前記映像・音声データの送出を停止し、前記映像・音声データが使用していた周波数帯域を他の映像・音声データの送出に使用し、前記他の映像・音声データの圧縮率を引き下げ、
デジタル放送受信機が、前記再生時刻情報および前記特殊再生方法情報に従って、前記過去の映像・音声データを再生することを特徴とする請求項１記載のデジタル放送方法。
【請求項３】
放送局が、前記映像・音声データに対して、前記再生時刻情報に加えて、過去の映像・音声データと現行の映像・音声データとの合成方法情報を制御情報として付加して送出し、前記再生時刻情報及び前記合成方法情報により指示した期間における前記映像・音声データの送出するデータ量を減らし、前記映像・音声データの使用していた周波数帯域の一部を他の映像・音声データの送出に使用し、前記他の映像・音声データの圧縮率を引き下げ、
デジタル放送受信機が、前記再生時刻情報および前記合成方法情報に従って、映像・音声データを再生することを特徴とする請求項１記載のデジタル放送方法。
【請求項４】
映像・音声データの記録および再生が同時に可能な再生手段と、
映像・音声データに付加された制御情報から過去の映像・音声データとして該映像・音声データを再生する時間および再生するデータ部分を示す再生時刻情報を認識するための制御情報認識手段と、
前記再生時刻情報に従って、前記再生手段に対してデータを選択して供給するためのデータ供給手段とを備え、
放送局が前記映像・音声データの送出に使用していた周波数帯域を他の映像・音声データの送出に使用している間、前記再生時刻情報に従って、前記過去の映像・音声データを再生することを特徴とするデジタル放送受信機。
【請求項５】
前記制御情報認識手段は、前記過去の映像・音声データの再生時刻情報に加えて、前記制御情報から特殊再生方法情報を認識し、
放送局が前記映像・音声データの送出に使用していた周波数帯域を他の映像・音声データの送出に使用している間、前記再生時刻情報および前記特殊再生方法情報に従って、前記過去の映像・音声データを再生することを特徴とする請求項４記載のデジタル放送受信機。
【請求項６】
現在放送中の映像・音声データの再生と、過去に蓄積された映像・音声データの再生に関するデコードを同時に行うためのデコード手段を備え、
前記制御情報認識手段は、前記再生時刻情報に加えて、前記制御情報から過去の映像・音声データと現行の映像・音声データとの合成方法情報を認識し、
放送局が、前記再生時刻情報及び前記合成方法情報により指定した期間における前記映像・音声データの送出するデータ量を減らし、前記映像・音声データの使用していた周波数帯域の一部を他の映像・音声データの送出に使用している間、前記再生時刻情報および前記合成方法情報に従って、映像・音声データを再生することを特徴とする請求項４記載のデジタル放送受信機。
【発明の詳細な説明】
【０００１】
【発明の属する技術分野】
本発明は、デジタル放送方法およびデジタル放送受信機に関する。
【０００２】
【従来の技術】
デジタル放送では、映像・音声データを送出する際に使用できる帯域幅は限られている。このため、従来のデジタル放送方式およびデジタル放送受信機では、データ送出量の削減を行うために種々の工夫が施されていた。
【０００３】
例えば、従来のデジタル放送方式では、過去の数フレームの映像に対して、現行映像との差分を利用してデータ送出量の削減を行っていた。しかし、数分もしくは数時間以上、過去の映像・音声を視聴させたい場合には、放送局側で、過去の映像・音声データを改めて現行放送のデータとして送出していた。このように、従来のデジタル放送方式では、数分もしくは数時間以上といった単位で、過去の放送データを利用して再生させるための情報を送出し、送出データ量の削減を行うという操作は行っていなかった。
【０００４】
また、従来のデジタル放送方式では、放送局から過去の映像・音声を特殊再生させる指示の情報は送出されておらず、実際に特殊再生映像を表示させるためには、放送局側で特殊再生映像・音声情報を生成し、この特殊再生映像・音声映像を現行放送のデータとして送出していた。
【０００５】
また、従来のデジタル放送方式では、例えば、過去の映像を子画面に表示する場合に、放送局側で子画面映像を含めて現行映像として生成し、この子画面映像を現行放送のデータとして送出していた。このため、子画面内の映像が過去に放送済の映像であっても、データ送出量を削減することはできなかった。
【０００６】
また、従来のデジタル放送受信機では、リアルタイムに受信した映像音声のみを再生するか、あるいは、ハードディスク等の記録と再生が同時に可能な蓄積メディアを搭載し、この蓄積メディアに記録された映像音声を時間差再生していた。この場合、リアルタイム再生と時間差再生は選択的であり、同時にリアルタイム再生と時間差再生を行うことはできなかった。
【０００７】
また、従来のデジタル放送受信機では、映像・音声データを記録、再生、特殊再生する手段を具備していても、使用者の操作によって過去の映像・音声の再生、特殊再生を行うのみで、放送データからの指示によって特殊再生と現行放送とを切り替えて映像・音声を出力する機能はなかった。
【０００８】
また、従来のデジタル放送受信機では、２つの映像・音声の同時デコードを行うことにより、２画面表示、子画面による２画面表示、ミキシング表示等を行うことは可能であったが、放送局からの指示により、過去の映像・音声との複合表示を行うことはできなかった。
【０００９】
【発明が解決しようとする課題】
上述したように、従来のデジタル放送方式では、放送データの伝送で消費する帯域幅を狭くするために、映像・音声データを圧縮する等、種々の工夫を施してデータ送出量の削減を行っていた。
しかしながら、放送データの伝送で消費する帯域幅を狭くしようとして圧縮率を高くすると、映像・音声の品位が落ちてしまうという問題があった。
また、スポーツ番組におけるスロー再生場面や、ドラマのエンディングで字幕が表示される際におけるドラマ内容の子画面表示といった映像の場合には、放送局でスロー映像や、子画面を含めた字幕の映像を生成し、現行放送データとして送出している。このため、スロー再生場面や子画面を表示する場合であっても、通常の放送データと同様のデータ送出量が必要となり、帯域幅を消費してしまうという問題があった。
【００１０】
本発明は、上述した事情に鑑み提案されたもので、映像・音声の品質を損なうことなくデータ送出量を削減することが可能なデジタル放送方法およびデジタル放送受信機を提供することを目的とする。
【００１１】
【課題を解決するための手段】
本発明に係るデジタル放送方法は、放送局が、デジタル放送受信機に、映像・音声データに対して過去の映像・音声データとして該映像・音声データを再生する時間および再生するデータ部分について指示するための再生時刻情報を制御情報として付加して送出するとともに、前記過去の映像・音声データの再生を指示した期間における前記映像・音声データの送出を停止し、前記映像・音声データが使用していた周波数帯域を他の映像・音声データの送出に使用し、前記他の映像・音声データの圧縮率を引き下げ、
デジタル放送受信機が、前記再生時刻情報に従って、前記過去の映像・音声データを再生することを特徴とするものである。
【００１２】
また、本発明に係るデジタル放送方法は、放送局が、前記映像・音声データに対して、前記再生時刻情報に加えて、特殊再生方法情報を制御情報として付加して送出するとともに、前記再生時刻情報および前記特殊再生方法情報により指示した期間における前記映像・音声データの送出を停止し、前記映像・音声データが使用していた周波数帯域を他の映像・音声データの送出に使用し、前記他の映像・音声データの圧縮率を引き下げ、
デジタル放送受信機が、前記再生時刻情報および前記特殊再生方法情報に従って、前記過去の映像・音声データを再生することを特徴とするものである。
【００１３】
また、本発明に係るデジタル放送方法は、放送局が、前記映像・音声データに対して、前記再生時刻情報に加えて、過去の映像・音声データと現行の映像・音声データとの合成方法情報を制御情報として付加して送出し、前記再生時刻情報及び前記合成方法情報により指示した期間における前記映像・音声データの送出するデータ量を減らし、前記映像・音声データの使用していた周波数帯域の一部を他の映像・音声データの送出に使用し、前記他の映像・音声データの圧縮率を引き下げ、
デジタル放送受信機が、前記再生時刻情報および前記合成方法情報に従って、映像・音声データを再生することを特徴とするものである。
【００１４】
本発明に係るデジタル放送受信機は、映像・音声データの記録および再生が同時に可能な再生手段と、映像・音声データに付加された制御情報から過去の映像・音声データとして該映像・音声データを再生する時間および再生するデータ部分を示す再生時刻情報を認識するための制御情報認識手段と、前記再生時刻情報に従って、前記再生手段に対してデータを選択して供給するためのデータ供給手段とを備え、放送局が前記映像・音声データの送出に使用していた周波数帯域を他の映像・音声データの送出に使用している間、前記再生時刻情報に従って、前記過去の映像・音声データを再生することを特徴とすることを特徴とするものである。
【００１５】
また、本発明に係るデジタル放送受信機は、前記制御情報認識手段が、前記過去の映像・音声データの再生時刻情報に加えて、前記制御情報から特殊再生方法情報を認識し、放送局が前記映像・音声データの送出に使用していた周波数帯域を他の映像・音声データの送出に使用している間、前記再生時刻情報および前記特殊再生方法情報に従って、前記過去の映像・音声データを再生することを特徴とするものである。
【００１６】
また、本発明に係るデジタル放送受信機は、現在放送中の映像・音声データの再生と、過去に蓄積された映像・音声データの再生に関するデコードを同時に行うためのデコード手段を備え、前記制御情報認識手段は、前記再生時刻情報に加えて、前記制御情報から過去の映像・音声データと現行の映像・音声データとの合成方法情報を認識し、放送局が、前記再生時刻情報及び前記合成方法情報により指定した期間における前記映像・音声データの送出するデータ量を減らし、前記映像・音声データの使用していた周波数帯域の一部を他の映像・音声データの送出に使用している間、前記再生時刻情報および前記合成方法情報に従って、映像・音声データを再生することを特徴とするものである。
【００１７】
なお、特殊再生方法情報とは、スロー再生、早送り再生、早戻し再生、逆再生、コマ送り、静止画等に関する再生方法情報のことである。
【００１８】
【発明の実施の形態】
以下、図面に示す具体的な実施例に基づいて、本発明に係るデジタル放送方法およびデジタル放送受信機の実施形態を説明する。
【００１９】
＜実施例１＞
図１は、本発明の実施例１に係るデジタル放送受信機の概略構成を示すブロック図である。
本発明の実施例１に係るデジタル放送受信機は、図１に示すように、データ選別部１０１、データ蓄積部１０２、システム制御部１０３、および映像・音声再生部１０４から構成されている。
【００２０】
データ選別部１０１は、放送データから必要な映像／音声や番組情報、鍵情報等の他、放送データに含まれる再生時刻制御情報を抽出し、システム制御部１０３へ引き渡す。
データ蓄積部１０２は、データ選別部１０１により抽出された映像・音声および番組情報、鍵情報等の他、放送データに含まれる再生時刻制御情報を蓄積するとともに、システム制御部１０３からの制御（２）指示に従い、過去の映像／音声の再生データの送出を行う。
【００２１】
データ選別部１０１から出力される現行放送の映像／音声データと、データ蓄積部１０２から出力される過去の映像／音声データは、システム制御部１０３の制御（３）指示によって選択され、映像・音声再生部１０４へ入力される。
映像・音声再生部１０４では、映像および音声のデコード処理と、映像・音声の出力を、システム制御部１０３の制御（４）指示に従って行う。
【００２２】
システム制御部１０３は、データ選別部１０１、データ蓄積部１０２、映像・音声再生部１０４、および現行放送データ、再生データの切り替え制御を行う。
再生時刻制御情報（１）は、放送データに含まれて、映像・音声等の情報と一緒にデータ選別部１０１へ入力される。再生時刻制御情報（２）は、放送終了後に、データ蓄積部１０２に蓄積された映像音声データに基づいて再生を行う場合に、システム制御部１０３へ引き渡すための再生時刻制御情報である。
【００２３】
再生時刻制御情報は、例えば、「番組開始から１時間２０分１０秒から１分１２秒間は、番組開始１時間１分２０秒からの１分１２秒の映像・音声を再生する」という情報であり、再生時刻制御情報を受け取ったシステム制御部１０３によって、再生映像／音声データの出力、現行放送データ、再生データの切り替え制御を行うことにより、上述した１分１２秒間は現行放送データがなくても、映像・音声再生部１０４からの映像音声出力を可能にする。
【００２４】
＜デジタル放送方法＞
次に、図２に基づいて、上述したデジタル放送受信機を用いたデジタル放送方法について説明する。
デジタル放送においては、放送の周波数帯域に限度があり、限られた放送帯域の中に、１から複数の放送サービスを送出する。１放送サービスあたりの使用帯域が狭い場合に、その放送サービスにおいては映像・音声の圧縮率を高くし、映像音声の質を落として送出することになる。
【００２５】
図２の上段は、従来の放送サービスにおける使用帯域を示すもので、図２の下段は、本発明の実施形態に係るデジタル放送方法における使用帯域を示すものである。
図２に示すように、放送サービス（３）においては、ＡからＢの期間が過去の映像音声の情報を再生する期間となっている。
【００２６】
従来の放送サービスでは、過去の映像・音声を再度使用するシーンにおいても、放送局側で現行放送としてデータを送出する必要があり、通常シーンと同じ帯域を消費していた。
これに対して、本発明の実施形態に係るデジタル放送方法では、ＡからＢの期間に、放送サービス（３）の放送データの送出が必要ないため、その使用帯域を、放送サービス（１）および放送サービス（２）に割り当てることが可能となる。このため、当該期間の放送サービス（１）および放送サービス（２）の映像・音声の圧縮率を引き下げることによって、質の高い映像・音声を送出することが可能となる。
【００２７】
また、再生時刻制御情報の中に、再生時刻情報のみだけではなく、スロー再生、早送り再生、早戻し再生、逆再生、コマ送り、静止画等に関する特殊再生方法情報を含ませることができる。この場合、システム制御部１０３では、特殊再生方法情報を認識・解釈し、その解釈に従って指定された時間だけ、特殊再生制御を行う。
【００２８】
例えば、特殊再生方法情報を含んだ再生時刻制御情報は、「放送開始から３０分０秒後からの２０秒間は、放送開始１５分０秒後の４０秒間の２倍速再生にする」というものである。この再生時刻制御情報に基づいて、放送開始から３０分０秒から２０秒間は、放送局から映像・音声データを送出する必要がなく、その分の帯域を他のサービス等に使用することが可能となる。
【００２９】
＜実施例２＞
また、再生時刻制御情報の中に、再生時刻情報のみだけでなく、現行放送との重ね合わせ方の情報や、子画面化の座標情報等の合成方法情報を含ませることができる。
【００３０】
図３は、合成方法情報による現行放送と過去の映像／音声との合成が可能な実施例２に係るデジタル放送受信機の概略構成を示すブロック図である。
実施例２に係るデジタル放送受信機では、図３に示すように、システム制御部５０３により、合成方法情報を認識・解釈し、当該解釈に従って指定された合成を行う。
【００３１】
映像・音声再生部５０４では、現行放送の再生と、データ蓄積部５０２から出力される２つの映像／音声を、再生部（１）５０４ａ、再生部（２）５０４ｂで再生し、合成部５０４ｃへ出力する。合成部５０４ｃでは、入力された２つの再生映像／音声を、システム制御部５０３からの指示に従って合成し、１つの映像音声として出力する。
【００３２】
すなわち、映像音声再生部５０４は、２つの再生部５０４ａ，５０４ｂと、それぞれの再生映像／音声とを合成するための合成部５０４ｃを備ており、現行放送中の一部の領域に、子画面としてデータ蓄積部５０２に格納された過去の映像を挿入するといった映像を実現することが可能となる。
【００３３】
また、ドラマ等で過去の映像を用いた回想シーンの開始および終了時に、現行放送との合成率を変化させることにより、徐々に回想シーンヘ切り替わり、徐々に現行シーンヘ復帰するといった視聴効果を持たせることが可能となる。
合成方法情報を含んだ再生時刻制御情報は、例えば、「放送開始から４０分０秒後からの５０秒間は、放送開始２０分０秒後の５０秒間の１／４サイズの子画面を画面上の左から１００画素、上から１００画素の位置に表示する」という情報である。このような再生時刻制御情報を送出することによって、放送開始から４０分０秒から５０秒間は、放送局から子画面内のデータを送出する必要がなく、その分の帯域を他のサービス等に使用することが可能となる。
【００３４】
なお、上述した実施例１および実施例２に係るデジタル放送受信機では、映像・音声の両方をデータ蓄積部１０２，５０２からのデータで再生するのみでなく、映像のみについて、データ蓄積部１０２，５０２のデータから過去の再生を行い、音声は現行放送を使用したり、逆に音声のみデータ蓄積部１０２，５０２のデータから再生し、映像は現行放送を使用するというように、過去のデータの映像、音声を選択的に利用することも可能である。
【００３５】
また、上述したデジタル放送方法では、例えば、過去の音声と現行映像を再生する際に、現行音声データ分の帯域を削減することが可能であり、その分を他のサービスに使用することが可能となる。
【００３６】
【発明の効果】
本発明に係るデジタル放送方法およびデジタル放送受信機は、上述した構成を備えているため、以下の効果を奏することができる。
【００３７】
すなわち、本発明に係るデジタル放送方法およびデジタル放送受信機によれば、過去に放送した映像／音声を現行放送の代わりに再生することができ、その期間、放送局より送出される放送データ量を削減することが可能となる。そして、放送データ量を削減した分だけ他サービスに割り当てることにより、他サービスの映像／音声等の質を高めることが可能となる。
【００３８】
また、本発明に係るデジタル放送方法およびデジタル放送受信機によれば、過去に放送した映像／音声を現行放送の代わりに再生するのみでなく、特殊再生することができる。例えば、スポーツ番組におけるスローモーション場面を、放送局からの指示により、デジタル放送受信機が過去の映像を用いて出力することが可能となり、放送局では、そのスローモーション期間の現行放送映像を停止することによって、放送データ量を削減することが可能となる。そして、放送データ量を削減した分だけ他サービスに削り当てることにより、他サービスの映像／音声等の質を高めたり、情報量を増やすことが可能となる。
【００３９】
また、本発明に係るデジタル放送方法およびデジタル放送受信機によれば、過去に放送した映像／音声を現行放送の代わりに再生するのみでなく、現行放送と合成して再生することが可能となる。例えば、過去の映像を子画面表示するようなシーンの場合に、従来の技術では、子画面を含めた映像を現行放送として放送局より放送していたため、必然的に子画面内の映像情報は、過去に単独で放送した映像より情報量が少なくなる。しかし、本発明に係るデジタル放送方法およびデジタル放送受信機を用いることにより、現行放送と同じ品質の子画面表示を、放送の占有帯域を広げることなく実現することが可能となる。
【００４０】
さらに、現行放送データ中の子画面分の映像データは、放送局より送出しなくてよいため、放送データ量を削減した分だけ現行放送の画質改善や、他サービスに割り当てることが可能となる。
【図面の簡単な説明】
【図１】  本発明の実施例１に係るデジタル放送受信機の概略構成を示すブロック図。
【図２】  本発明に係るデジタル放送方法と従来のデジタル放送方法における使用帯域を示す説明図。
【図３】  本発明の実施例２に係るデジタル放送受信機の概略構成を示すブロック図。
【符号の説明】
１０１，５０１  データ選別部
１０２，５０２  データ蓄積部
１０３，５０３  システム制御部
１０４，５０４  映像・音声再生部
５０４ａ  再生部（１）
５０４ｂ  再生部（２）
５０４ｃ  合成部
【図１】
0003827583.tif 000002
【図２】
0003827583.tif 000003
【図３】
0003827583.tif 000004